(57)【要約】      （修正有）【課題】腹部全体をカバーすることができるようにする。また、カバー範囲を広げるために多数の加圧治療具を繋ぎ合わせる手間と時間を解消する。【解決手段】肺と心臓を除く内臓をカバーする大きさの粘着シート２を台形とする。粘着シート２の粘着面に、片面に複数の突条部を一体的に形成してなる刺激粒３、３、３・・・を適宜の間隔で多数固定する。【選択図】図１
0003139392.tif 000002
【実用新案登録請求の範囲】
【請求項１】
肺と心臓を除く内臓をカバーする大きさ及び形状となした粘着シートの粘着面に、円形の基板の片面に複数の突条部を一体的に形成してなる刺激粒を適宜間隔で多数固定してなる腹部貼着用人体変調部位加圧治療具。
【請求項２】
刺激粒が、円形の基板の片面に平行して３本の突条部を一体的に形成し、該３本の突条部を、その中央の突条部を最も高くなすと共に中央部を除く両側の２本の突条部を中央部において窪ませてなる刺激粒である請求項１記載の腹部貼着用人体変調部位加圧治療具。
【請求項３】
粘着シートが、台形をなす粘着シートである請求項１又は２記載の腹部貼着用人体変調部位加圧治療具。
【請求項４】
粘着シートが、幅方向の中央部において縦に分断し、左右一対に構成してなる粘着シートである請求項３記載の腹部貼着用人体変調部位加圧治療具。
【請求項５】
粘着シートが、上部において横に分断し、上下一対に構成してなる粘着シートである請求項３記載の腹部貼着用人体変調部位加圧治療具。
【請求項６】
粘着シートが、台形をなすと共に左右の側部に所要幅の延長部を一体的に形成してなる粘着シートである請求項１又は２記載の腹部貼着用人体変調部位加圧治療具。
【請求項７】
粘着シートが、幅方向の中央部において縦に分断し、左右一対に構成してなる粘着シートである請求項６記載の腹部貼着用人体変調部位加圧治療具。
【請求項８】
粘着シートが、上部において横に分断し、上下一対に構成してなる粘着シートである請求項６記載の腹部貼着用人体変調部位加圧治療具。
【請求項９】
粘着シートが、略台形状をなすと共に下縁部を三角形に内側に窪ませてなる粘着シートである請求項１又は２記載の腹部貼着用人体変調部位加圧治療具。
【請求項１０】
粘着シートが、幅方向の中央部において縦に分断し、左右一対に構成してなる粘着シートである請求項９記載の腹部貼着用人体変調部位加圧治療具。
【請求項１１】
粘着シートが、上部において横に分断し、上下一対に構成してなる粘着シートである請求項９記載の腹部貼着用人体変調部位加圧治療具。
【請求項１２】
粘着シートが、略台形状をなすと共に下縁部を三角形に内側に窪ませ、更に左右の側部に所要幅の延長部を一体的に形成してなる粘着シートである請求項１又は２記載の腹部貼着用人体変調部位加圧治療具。
【請求項１３】
粘着シートが、幅方向の中央部において縦に分断し、左右一対に構成してなる粘着シートである請求項１２記載の腹部貼着用人体変調部位加圧治療具。
【請求項１４】
粘着シートが、上部において横に分断し、上下一対に構成してなる粘着シートである請求項１２記載の腹部貼着用人体変調部位加圧治療具。
【請求項１５】
粘着シートが、平行四辺形をなす粘着シートである請求項１又は２記載の腹部貼着用人体変調部位加圧治療具。
【考案の詳細な説明】
【技術分野】
【０００１】
本考案は人体の皮膚表面に点在する痛点を加圧して刺激を与えることにより、変調部位の痛みを和らげ或いは治療するための腹部貼着用人体変調部位加圧治療具に関するものである。
【背景技術】
【０００２】
人体のいずれかの部位に疾病等による変調が生ずると、その反応は痛みとしてその変調が生じた部位に対応した皮膚の表層に現れる。そして、この痛みを直接感じる部分又は押してみて痛みを感じる部分が圧痛点又は痛点と称されている。
【０００３】
そしてまた、皮膚の表面からこの痛点を加圧して刺激を与えると血流が促進され、変調部位の痛みを和らげ或いは治療することができる。
【０００４】
そこで、従来この痛点を指で加圧する指圧療法が行われてきたが、指圧の場合には指が疲労しやすく、長く続けることはできない。
【０００５】
このことに鑑み、本考案者は、先に痛点の部分の皮膚表面に貼り付けることによって、指圧のように指が疲れることもなく、長く継続して皮膚の表面から痛点を加圧することができるようになした人体変調部位加圧治療具を案出し、提供した（特許文献１、２参照。）。
【０００６】
【特許文献１】登録実用新案第３０５１７９０号公報
【特許文献２】登録実用新案第３１０９００３号公報
【考案の開示】
【考案が解決しようとする課題】
【０００７】
上記本考案者が先に案出し、提供した人体変調部位加圧治療具は、円形の基板の片面に３本の突条部を形成してなる刺激粒を粘着シートをもって皮膚の表面に貼り付けるだけで済むから、従来の指圧による場合のように指が疲労することがなく、そしてまた、一定時間貼り付けたままにしておくものであるから、基板に形成した突条部によって長時間継続して痛点を加圧し続けることになり、より一層変調部位の痛みを和らげ或いは治療する効果を高めることができるという効果を奏するものである。
【０００８】
ところで、人体の疾病等による変調は、その一部のみに変調が生ずることが多いが、時として腹部全体に変調を生ずることもある。そして、この場合において、上記本考案者が先に案出し、提供した加圧治療具においては、これらはいずれもスポット的或いはいくらか広い範囲の部位をカバーするだけであるため、充分に対応することができなかった。また、隣接して繋ぎ合わせることによって広くすることも可能ではあるが、相当な手間と時間を要することになる。
【０００９】
本考案は上記の点に鑑みなされたものであって、腹部全体をカバーすることができると共に、カバー範囲を広げるために多数を繋ぎ合わせる手間と時間を解消することができるようになした人体変調部位加圧治療具を提供しようとするものである。
【課題を解決するための手段】
【００１０】
而して、本考案の要旨とするところは、肺と心臓を除く内臓をカバーする大きさ及び形状となした粘着シートの粘着面に、円形の基板の片面に複数の突条部を一体的に形成してなる刺激粒を適宜間隔で多数固定してなる腹部貼着用人体変調部位加圧治療具にある。
【００１１】
また、上記構成において、刺激粒を、円形の基板の片面に平行して３本の突条部を一体的に形成し、該３本の突条部を、その中央の突条部を最も高くなすと共に中央部を除く両側の２本の突条部を中央部において窪ませてなる刺激粒としてもよい。
【００１２】
また、上記構成において、粘着シートを、台形をなす粘着シートとしてもよい。このようになした場合には、肋骨の下縁から恥骨までの間の腹部全体を取り巻くようにカバーすることができる。
【００１３】
また、上記粘着シートを台形となした構成において、粘着シートを、幅方向の中央部において縦に分断し、左右一対に構成してなる粘着シートとしてもよい。このようになした場合には、左右の粘着シートを順次別々に貼ることにより、粘着シートの一枚全体を広げて貼るよりも手際よく貼ることができる。
【００１４】
また、上記粘着シートを台形となした構成において、粘着シートを、上部において横に分断し、上下一対に構成してなる粘着シートとしてもよい。このようになした場合には、上下の粘着シートを順次別々に貼ることにより、粘着シートの一枚全体を広げて貼るよりも手際よく貼ることができる。
【００１５】
また、上記構成において、粘着シートを、台形をなすと共に左右の側部に所要幅の延長部を一体的に形成してなる粘着シートとしてもよい。このようになした場合には、両脇腹への部位のカバー範囲を広げることができる。
【００１６】
また、上記粘着シートを台形となすと共に左右の側部に所要幅の延長部を形成した構成において、粘着シートを、幅方向の中央部において縦に分断し、左右一対に構成してなる粘着シートとしてもよい。
【００１７】
また、上記粘着シートを台形となすと共に左右の側部に所要幅の延長部を形成した構成において、粘着シートを、上部において横に分断し、上下一対に構成してなる粘着シートとしてもよい。
【００１８】
また、上記構成において、粘着シートを、略台形状をなすと共に下縁部を三角形に内側に窪ませてなる粘着シートとしてもよい。このようになした場合には、股の部位にまでカバー範囲を広げることができる。
【００１９】
また、上記粘着シートを、略台形状をなすと共に下縁部を三角形に内側に窪ませてなる粘着シートとした構成において、粘着シートを、幅方向の中央部において縦に分断し、左右一対に構成してなる粘着シートとしてもよい。
【００２０】
また、上記粘着シートを、略台形状になすと共に下縁部を三角形に内側に窪ませてなる粘着シートとした構成において、粘着シートを、上部において横に分断し、上下一対に構成してなる粘着シートとしてもよい。
【００２１】
また、上記構成において、粘着シートを、略台形状をなすと共に下縁部を三角形に内側に窪ませ、更に左右の側部に所要幅の延長部を一体的に形成してなる粘着シートとしてもよい。このようになした場合には、両脇腹及び股の部位のカバー範囲を広げることができる。
【００２２】
また、上記粘着シートを、略台形状をなすと共に下縁部を三角形に内側に窪ませ、更に左右の側部に所要幅の延長部を形成してなる粘着シートとした構成において、粘着シートを、幅方向の中央部において縦に分断し、左右一対に構成してなる粘着シートとしてもよい。
【００２３】
また、上記粘着シートを、略台形状になすと共に下縁部を三角形に内側に窪ませ、更に左右の側部に所要幅の延長部を形成してなる粘着シートとした構成において、粘着シートを、上部において横に分断し、上下一対に構成してなる粘着シートとしてもよい。
【００２４】
また、上記構成において、粘着シートを、平行四辺形をなす粘着シートとしてもよい。
【考案の効果】
【００２５】
本考案は上記の如き構成であるから、腹部全体をカバーすることができるものである。また、一度に腹部全体をカバーすることができるものであるから、従来の加圧治療具の如く隣接して繋ぎ合わせることによって広げる手間と時間を解消することができるものである。
【００２６】
また、粘着シートを台形となした構成において、粘着シートを、幅方向の中央部において縦に分断し、左右一対に構成してなる粘着シートとなした場合には、左右の粘着シートを順次別々に貼ることにより、粘着シートの一枚全体を広げて貼るよりも手際よく貼ることができるものである。
【００２７】
また、上記構成において、粘着シートを、上部において横に分断し、上下一対に構成してなる粘着シートとなした場合には、上下の粘着シートを順次別々に貼ることにより、粘着シートの一枚全体を広げて貼るよりも手際よく貼ることができるものである。
【００２８】
また、上記構成において、粘着シートを、台形をなすと共に左右の側部に所要幅の延長部を一体的に形成してなる粘着シートとなした場合には、両脇腹への部位のカバー範囲を広げることができるものである。
【００２９】
また、上記構成において、粘着シートを、略台形状をなすと共に下縁部を三角形に内側に窪ませてなる粘着シートとなした場合には、股の部位にまでカバー範囲を広げることができるものである。
【００３０】
また、上記構成において、粘着シートを、略台形状をなすと共に下縁部を三角形に内側に窪ませ、更に左右の側部に所要幅の延長部を一体的に形成してなる粘着シートとなした場合には、脇腹及び股の部位にまでカバー範囲を広げることができるものである。
【考案を実施するための最良の形態】
【００３１】
以下、本考案に係る腹部貼着用人体変調部位加圧治療具を実施するための最良の形態について、図面を参照して説明する。
【００３２】
図１は本考案の第１実施形態に係る腹部貼着用人体変調部位加圧治療具の表面図、図２は部分拡大斜視図である。
【００３３】
図中、１は腹部貼着用人体変調部位加圧治療具である。また、該腹部貼着用人体変調部位加圧治療具１は、肺と心臓を除く内臓をカバーする大きさ及び形状となした粘着シート２の粘着面に、円形の基板４の片面に複数の突条部５、６、７を一体的に形成してなる刺激粒３、３、３・・・を適宜間隔で多数固定してなるものである。
【００３４】
また、前記粘着シート２は、本実施形態では台形をなしている。また、刺激粒３、３、３・・・は、円形の基板４の片面に平行して３本の突条部５、６、７を一体的に形成し、該３本の突条部５、６、７を、その中央の突条部７を最も高くなすと共に中央部を除く両側の２本の突条部５、６を中央部において窪ませてなるものである。尚、該突条部５、６、７は、その幅を０．３〜０．６ｍｍ、高さを０．５〜０．８ｍｍとしている。また、刺激粒３、３、３・・・は等間隔の複数の列となるようにするが、碁盤目状ではなく、互い違いに配列させることが望ましい。また、粘着シート２は、使用するまで刺激粒３、３、３・・・の基板４の部分を切除８ａした剥離シート８に貼着している。
【００３５】
而して、上記腹部貼着用人体変調部位加圧治療具を使用するときには、粘着シート２を剥離シート８から引き剥がし、刺激粒３の突条部５、６、７が痛点の部分に当たるようにして腹部の皮膚表面に貼り付けるものである。
【００３６】
次に、図３に示した前記第１実施形態の変形例について説明する。
本変形例は、粘着シート２を、幅方向の中央部において縦に分断し、左右一対２Ａ、２Ｂに構成してなるものである。尚、その他の構成は前記第１実施形態と同様であるから、詳細な説明は省略する。
【００３７】
次に、図４に示した前記第１実施形態の他の変形例について説明する。
本変形例は、粘着シート２を、上部において横に分断し、上下一対２Ａ、２Ｂに構成してなるものである。尚、その他の構成は前記第１実施形態と同様であるから、詳細な説明は省略する。
【００３８】
次に、図５に示した本考案の第２実施形態について説明する。
本実施形態は、粘着シート２を、台形をなすと共に左右の側部に所要幅の延長２ａ、２ｂを一体的に形成してなる点において前記第１実施形態と相違するものである。尚、その他の構成は前記第１実施形態と同様であるから、詳細な説明は省略する。
【００３９】
次に、図６に示した前記第２実施形態の変形例について説明する。
本変形例は、粘着シート２を、幅方向の中央部において縦に分断し、左右一対２Ａ、２Ｂに構成してなるものである。尚、その他の構成は前記第２実施形態と同様であるから、詳細な説明は省略する。
【００４０】
次に、図７に示した前記第２実施形態の他の変形例について説明する。
本変形例は、粘着シート２を、上部において横に分断し、上下一対２Ａ、２Ｂに構成してなるものである。尚、その他の構成は前記第２実施形態と同様であるから、詳細な説明は省略する。
【００４１】
次に、図８に示した本考案の第３実施形態について説明する。
本実施形態は、粘着シート２を、略台形状をなすと共に下縁部２′を三角形に内側に窪ませてなるものである。尚、その他の構成は前記第１実施形態と同様であるから、詳細な説明は省略する。
【００４２】
次に、図９に示した前記第３実施形態の変形例について説明する。
本変形例は、粘着シート２を、幅方向の中央部において縦に分断し、左右一対２Ａ、２Ｂに構成してなるものである。尚、その他の構成は前記第３実施形態と同様であるから、詳細な説明は省略する。
【００４３】
次に、図１０に示した前記第３実施形態の他の変形例について説明する。
本変形例は、粘着シート２を、上部において横に分断し、上下一対２Ａ、２Ｂに構成してなるものである。尚、その他の構成は前記第３実施形態と同様であるから、詳細な説明は省略する。
【００４４】
次に、図１１に示した本考案の第４実施形態について説明する。
本実施形態は、粘着シート２を、略台形状をなすと共に下縁部２′を三角形に内側に窪ませ、更に左右の側部に所要幅の延長部２ａ、２ｂを一体的に形成してなるものである。尚、その他の構成は前記第１実施形態と同様であるから、詳細な説明は省略する。
【００４５】
次に、図１２に示した前記第４実施形態の変形例について説明する。
本変形例は、粘着シート２を、幅方向の中央部において縦に分断し、左右一対２Ａ、２Ｂに構成してなるものである。尚、その他の構成は前記第４実施形態と同様であるから、詳細な説明は省略する。
【００４６】
次に、図１３に示した前記第４実施形態の他の変形例について説明する。
本変形例は、粘着シート２を、上部において横に分断し、上下一対２Ａ、２Ｂに構成してなるものである。尚、その他の構成は前記第４実施形態と同様であるから、詳細な説明は省略する。
【００４７】
次に、図１４に示した前記第５実施形態について説明する。
本実施形態は、粘着シート２を、平行四辺形となしたものである。こうした場合には、粘着シート２の左右に延びる部分が、脇腹までをカバーする加圧治療具として使用でき、更に使用した後、上部及び左右の角部に紐を取り付け、首及び背中にてその紐を結ぶことにより、腹掛け式治療具としても使用できるものである。こうすることにより、貼着した場合よりも若干効果は落ちるとしても、腹部に接触させることにより、加圧治療具として充分効果を期待することができるものである。尚、その他の構成は前記第１実施形態と同様であるから、詳細な説明は省略する。
【００４８】
また、本考案は、更にカバー範囲を広げようとするときには、例えば図１５に示す如く、単体として構成された加圧治療具９、９、９を粘着シート２の外縁に貼着するようにしてもよく、また、図１６に示す如く、粘着シートに複数の刺激粒を段違いに配置したものを外縁に貼着して使用してもよい。尚、その他図中１０は粘着シート、１１は刺激粒である。また、該加圧治療具は、粘着シート１０を一枚で構成し、これの粘着面に所定の間隔で刺激粒１０を固定したものでもよい。
【図面の簡単な説明】
【００４９】
【図１】本考案の第１実施形態に係る腹部貼着用人体変調部位加圧治療具の表面図である。
【図２】同部分拡大斜視図である。
【図３】本考案の第１実施形態の変形例の説明図である。
【図４】本考案の第１実施形態の他の変形例の説明図である。
【図５】本考案の第２実施形態の説明図である。
【図６】本考案の第２実施形態の変形例の説明図である。
【図７】本考案の第２実施形態の他の変形例の説明図である。
【図８】本考案の第３実施形態の説明図である。
【図９】本考案の第３実施形態の変形例の説明図である。
【図１０】本考案の第３実施形態の他の変形例の説明図である。
【図１１】本考案の第４実施形態の説明図である。
【図１２】本考案の第４実施形態の変形例の説明図である。
【図１３】本考案の第４実施形態の他の変形例の説明図である。
【図１４】本考案の第５実施形態の説明図である。
【図１５】本考案に別体の加圧治療具を連接した状態の部分拡大表面図である。
【図１６】本考案に別体の加圧治療具を連接した状態の他の例を示す部分拡大表面図である。
【符号の説明】
【００５０】
１  腹部貼着用人体変調部位加圧治療具
２  粘着シート
３  刺激粒
４  基板
５、６、７  突条部
８  剥離シート
【図１】
0003139392.tif 000003
【図２】
0003139392.tif 000004
【図３】
0003139392.tif 000005
【図４】
0003139392.tif 000006
【図５】
0003139392.tif 000007
【図６】
0003139392.tif 000008
【図７】
0003139392.tif 000009
【図８】
0003139392.tif 000010
【図９】
0003139392.tif 000011
【図１０】
0003139392.tif 000012
【図１１】
0003139392.tif 000013
【図１２】
0003139392.tif 000014
【図１３】
0003139392.tif 000015
【図１４】
0003139392.tif 000016
【図１５】
0003139392.tif 000017
【図１６】
0003139392.tif 000018